(57)【特許請求の範囲】
【請求項１】
壁に家具を床から離間するように設置する壁付家具の設置方法において、
矩形板状に形成された支持材を、上面が水平となるように壁に固定し、
前記支持材の横幅と略等しい間隔を空けて対向する一対の側板と、当該一対の側板の間に設けられた第一横板と、前記一対の側板の間であって、前記第一横板の上方または下方に設けられた第二横板と、によって、前後に開口する矩形枠状に組み立てられた基本本体の前記第一横板の下面を、前記支持材の上面に当接させ、
前記第一横板を前記支持材に固定することにより、前記基本本体を前記壁に設置し、
矩形板状に形成された第二支持材を、前記壁における前記基本本体の側方の部分に、上面が水平となるように、かつ一方の側面が前記基本本体と接するように配置して、前記壁と前記基本本体とにそれぞれ固定し、
前記基本本体に増設される増設本体を構成する第二側板を、前記第二支持材における他方の側面と接するように、かつ前記基本本体の側板と並行となるように配置して、前記第二支持材に固定し、
下面の横幅が前記第二支持材の横幅と略等しい第三横板を、前記第二支持材の上に載置して、前記側板と前記第二側板の少なくとも一方に固定し、
前記側板と前記第二側板の間であって前記第三横板の上方または下方に、横幅が前記第二支持材の横幅と略等しい第四横板を取り付けることにより、前記第二側板、前記第三横板及び前記第四横板を有する前記増設本体を前記壁に設置することを特徴とする壁付家具の設置方法。
【請求項２】
請求項１に記載の壁付家具の設置方法において、
前記第一横板を前記支持材に当接させる前に、前記壁の前記基本本体の開口部分にシート状の仕上げ材を貼り付けておくことを特徴とする壁付家具の設置方法。
【請求項３】
請求項１または２に記載の壁付家具の設置方法において、
前記壁は、両側端に、互いに対向する一対の袖壁が設けられたものとなっており、
前記基本本体及び前記増設本体を、前記一対の袖壁の間に位置するように設置することを特徴とする壁付家具の設置方法。
【請求項４】
請求項１から３のいずれか一項に記載の壁付家具の設置方法において、
横幅が前記第三横板の横幅と略等しい矩形板状に形成された補強材を、前記壁における前記側板と前記第二側板との間の部分に、両側面が前記側板と前記第二側板とにそれぞれ接するように固定し、
前記補強材の一端部を前記側板に、他端部を前記第二側板にそれぞれ固定することを特徴とする壁付家具の設置方法。
【請求項５】
請求項１から４のいずれか一項に記載の壁付家具の設置方法において、
前記第二側板の前記第三横板と対向する面に、ピンを、当該面と直交する方向に突出するように取り付け、
前記第三横板の前記第二側板寄りの端部に、前記第二側板に向かう方向および当該方向と直交する方向に開口する嵌合穴を形成し、
前記ピンを前記嵌合穴に通し、前記嵌合穴において前記ピンを固定することにより、前記第二側板と前記第三横板とを結合することを特徴とする壁付家具の設置方法。
【発明の詳細な説明】
【技術分野】
【０００１】
本発明は、壁に据え付けられる壁付家具の設置方法に関する。
【背景技術】
【０００２】
壁に棚等の収納家具を据え付ける方法として、従来、特許文献１に示すように、溝を有する吊り下げ部を壁面に固定し、背面に被吊り下げ部を有する収納箱の被吊り下げ部を吊り下げ部の溝に掛けることにより、収納箱を壁面に係止するといったものが知られている。
【先行技術文献】
【特許文献】
【０００３】
【特許文献１】特開平１１−７５９５１号公報
【発明の概要】
【発明が解決しようとする課題】
【０００４】
特許文献１に示したような収納箱は、係止する前から箱として十分な強度を有するものとなっていた。すなわち、側板、天板、底板の他に、これらのぐらつきを抑える背板が備えられたものや、被吊り下げ部が背板の機能を補強する構造材としても機能するものとなっていた。このため、収納箱が重くなり吊り下げ部や壁に過剰に負担がかかっていた。また、収納箱を構成する部材が多くなりコストもかかっていた。
【０００５】
本発明は、上記課題に鑑みてなされたもので、壁に据え付ける壁付家具を、強度を落とすことなく軽量化するとともに、低コストで設置できるようにすることを目的とする。
【課題を解決するための手段】
【０００６】
上記課題を解決するため、請求項１に記載の発明は、例えば、図１〜７に示すように、壁Ｗ１に家具を床Ｆから離間するように設置する壁付家具１の設置方法において、矩形板状に形成された支持材１５を、上面が水平となるように壁Ｗ１に固定し、前記支持材１５の横幅と略等しい間隔を空けて対向する一対の側板１２と、当該一対の側板１２の間に設けられた第一横板１４と、前記一対の側板１２の間であって、前記第一横板１４の上方または下方に設けられた第二横板１３と、によって、前後に開口する矩形枠状に組み立てられた基本本体１１の前記第一横板１４の下面を、前記支持材１５の上面に当接させ、前記第一横板１４を前記支持材１５に固定することにより、前記基本本体１１を前記壁Ｗ１に設置し、矩形板状に形成された第二支持材２６を、前記壁Ｗ１における前記基本本体１１の側方の部分に、上面が水平となるように、かつ一方の側面が前記基本本体１１と接するように配置して、前記壁Ｗ１と前記基本本体１１とにそれぞれ固定し、前記基本本体１１に増設される増設本体２１を構成する第二側板２２を、前記第二支持材２６における他方の側面と接するように、かつ前記基本本体１１の側板と並行となるように配置して、前記第二支持材２６に固定し、下面の横幅が前記第二支持材２６の横幅と略等しい第三横板２４を、前記第二支持材２６の上に載置して、前記側板１２と前記第二側板２２の少なくとも一方に固定し、前記側板１２と前記第二側板２２の間であって前記第三横板２４の上方または下方に、横幅が前記第二支持材２６の横幅と略等しい第四横板２３を取り付けることにより、前記第二側板２２、前記第三横板２４及び前記第四横板２３を有する前記増設本体２１を前記壁Ｗ１に設置することを特徴とする。
【０００７】
基本本体１１は、一対の側板１２と、第一横板１４と、第二横板１３と、によって、前後に開口する単純な構造であるため、請求項１に記載の発明によれば、基本本体１１を、軽くて安価な壁付家具１として用いることができる。
そして、このような基本本体１１における第一横板１４を支持材１５に当接・固定すれば、基本本体１１自体を支持体１５に載置・固定した状態とすることができる。すなわち、基本本体１１を、壁Ｗ１に設置された壁付家具１として用いることができる。
また、基本本体１１を壁Ｗ１に設置した時に、一対の側板１２間に配置されるとともに第一横板が固定された支持材１５が基本本体１１の構造材の一部のように機能するので、基本本体１１は従来品と遜色のない強度を有するものとなる。
このため、第一横板１１を支持材１５に当接・固定するだけで、基本本体１１の壁Ｗ１への設置を容易かつ低コストで行うことができる。
また、増設本体２１が取り付けられる基本本体１１の板１２〜１４が、増設本体２１の構造材を兼ねることになるので、増設本体２１を基本本体１１と同様に一対の側板と、第一，第二横板で枠状に構成する場合に比べて使用する構造材を少なくしつつ、壁付家具１を拡張することができる。
【０００８】
請求項２に記載の発明は、請求項１に記載の壁付家具１の設置方法において、例えば図２，７に示すように、前記第一横板１４を前記支持材１５に当接させる前に、前記壁Ｗ１の前記基本本体１１の開口部分１１ａにシート状の仕上げ材４０を貼り付けておくことを特徴とする。
【０００９】
請求項２に記載の発明によれば、基本本体１１を取り付けた後、仕上げ材の色や柄がそのまま収納空間の奥の色や柄となるので、基本本体１１に背板や化粧板を取り付けなくても、収納空間の奥の見た目を自由に変更することができる。
【００１０】
請求項３に記載の発明は、請求項１または２に記載の壁付家具１の設置方法において、例えば図５，６に示すように、前記壁Ｗ１は、両側端に、互いに対向する一対の袖壁Ｗ２，Ｗ３が設けられたものとなっており、前記基本本体１１及び前記増設本体２１を、前記一対の袖壁Ｗ２，Ｗ３の間に位置するように設置することを特徴とする。
【００１２】
請求項４に記載の発明は、請求項１から３のいずれか一項に記載の壁付家具１の設置方法において、例えば図２，６に示すように、横幅が前記第三横板２４の横幅と略等しい矩形板状に形成された補強材２７を、前記壁Ｗ１における前記側板１２と前記第二側板２２との間の部分に、両側面が前記側板１２と前記第二側板２２とにそれぞれ接するように固定し、前記補強材２７の一端部を前記側板１２に、他端部を前記第二側板２２にそれぞれ固定することを特徴とする。
【００１４】
請求項５に記載の発明は、請求項１から４のいずれか一項に記載の壁付家具１の設置方法において、例えば図６に示すように、前記第二側板２２の前記第三横板２４と対向する面に、ピンＰを、当該面と直交する方向に突出するように取り付け、前記第三横板２４の前記第二側板２２寄りの端部に、前記第二側板２２に向かう方向および当該方向と直交する方向に開口する嵌合穴を形成し、前記ピンＰを前記嵌合穴に通し、前記嵌合穴において前記ピンＰを固定することにより、前記第二側板２２と前記第三横板２４とを結合することを特徴とする。
【００１５】
請求項５に記載の発明によれば、第二側板２２の基本本体１１側から第二側板２２と第三横板２４との結合を行うことができるので、第二側板２２の近傍に袖壁Ｗ３があり、袖壁Ｗ３側から第二側板２２に固定具を打ち込むことが困難な場合であっても容易に増設本体２１を施工することができる。
【発明の効果】
【００１６】
本発明によれば、壁に据え付ける壁付家具を、強度を落とすことなく軽量化することができるとともに、低コストで設置することができる。
【図面の簡単な説明】
【００１７】
【図１】本発明の実施形態に係る壁付家具の斜視図である。
【図２】図１の壁付家具の設置途中の状態を示した斜視図である。
【図３】図３は図１の壁付家具の上部を下方から示した斜視図である。
【図４】図１の壁付家具の組み立てに用いられる結合部材の側面図である。
【図５】図１の壁付家具の設置途中の状態を示した斜視図である。
【図６】図１の壁付家具の設置途中の状態を示した斜視図である。
【図７】同実施形態の変形例に係る壁付家具の設置途中の状態を示した斜視図である。
【発明を実施するための形態】
【００１８】
以下、図面を参照して、本発明の実施の形態について詳細に説明する。
【００１９】
〔壁付家具の構成〕
まず、本実施形態の設置方法によって設置された壁付家具１の構成について説明する。図１は本実施形態に係る壁付家具１の斜視図、図２，５，６は壁付家具１の設置途中の状態を示した斜視図、図３は壁付家具１の上部を下方から示した斜視図、図４は壁付家具１の組み立てに用いられる結合部材５０の側面図である。
【００２０】
壁付家具１は、下駄箱や本棚等の収納家具として用いられるもので、図１に示したように、下端が床Ｆから離間した状態で壁Ｗ１に据え付けられている。壁付家具１は、基本部１０と、増設部２０と、一対の扉３０と、仕上げ材４０と、で構成されている。
【００２１】
基本部１０は、図１，２に示したように、基本本体１１と、支持材１５と、補強材１６，１７と、下横板１８と、複数の棚板１９と、で構成されている。
基本本体１１は、図２（ａ）に示したように、一対の側板１２と、横板１３，１４と、によって、前後方向に開口する開口部１１ａを有する枠状に構成されている。
【００２２】
各側板１２は、矩形の板材で、壁Ｗ１の壁面に、当該壁面と直交するように、かつ、互いに所定間隔を空けて鉛直方向に延びるように設けられている。一対の側板１２のうち増設部２０から離れた方（以下一方）の側板１２における、増設部２０寄り（以下他方）の側板１２と対向する側面、および他方の側板１２における両側面には、複数の棚板用のダボ穴１２ａが鉛直方向に並ぶように形成されている。また、一方の側板１２における他方の側板１２と対向する側面の上端部、中間部、下端部、および他方の側板１２における両側面の上端部、中間部、下端部には、ピンＰが、側板１２の側面と直交する方向に突出するように取り付けられている。また、他方の側板１２における増設部２０側を向く側面の壁Ｗ１寄りの上端部および中間部には、図２に示すように、ダボ穴１２ｂが形成されている。
【００２３】
上横板１３は、本発明の第二横板に相当する部材である。上横板１３は、平面視の形状が横方向に長尺な矩形に形成され、両側板１２の上端部間に水平に延設されている。上横板１３の長手方向両端部には、図３に示したように、側方および下方に開口する嵌合穴１３ａが形成されており、この嵌合穴１３ａに結合部材５０がはめ込まれている。
【００２４】
本実施形態の結合部材５０は、図４に示したように、ケーシング５１と、カム５２と、で構成されている。
ケーシング５１の側面には開口部５１ａが形成されている。
カム５２は中空円筒状に形成されており、ケーシング５１の中に、ケーシング５１に対し回転可能にはめ込まれている。カム５２の側周面には、周方向に延びるとともに一端と他端とで太さが異なるピン穴５２ａが形成されている。また、カム５２の側壁は、ピン穴５２ａが太い箇所において薄く、ピン穴５２ａが細くなるに従って厚くなるように形成されている。
このように構成された結合部材５０は、カム５２を回転させることにより、図４（ａ）に示したピン穴５２ａの幅がピンＰの頭部の直径よりも大きい非引き込み状態、または図４（ｂ）示したピン穴５２ａの幅がピンＰの頭部の直径よりも小さく、側壁の厚みによってピンＰの頭部がカム５２の中心へ引き込まれる引き込み状態に変換可能となっている。
【００２５】
上横板１３は、一対の側板の１２の上端部にそれぞれ設けられたピンＰを各結合部材５０のピン穴５２ａに通し、結合部材５０の状態を引き込み状態とすることにより、図３に示したように、両側板１２とそれぞれ結合されている。
中横板１４は、本発明の第一横板に相当する部材である。中横板１４は、図２（ａ）に示したように、下面の壁Ｗ１寄りの端部にダボ穴１４ｂが形成されている点を除いて上横板１３と同様に形成されており、一対の側板の１２の中間部間に水平に延設されている。そして、中横板１４は、上横板１３と同様に結合部材５０で両側板１２とそれぞれ結合されている。
【００２６】
支持材１５は、横方向の幅が横板１３，１４と等しい矩形の板材で、壁Ｗ１の壁面に、水平方向に延びるように、かつ上面が中横板１４の下面に、両側面が両側板１２の互いに対向する側面中間部にそれぞれ当接するように固定具Ｂで固定されている。支持材１５の上面にはダボ１５ａが取り付けられており、中横板１４のダボ穴１４ｂに嵌合している。すなわち、中横板１４は、支持材１５に固定されている。
【００２７】
上補強材１６は、横方向の幅が支持材１５と同じ矩形の板材で、図２（ｂ）に示すように、壁Ｗ１の壁面に、水平方向に延びるように、かつ上面が上横板１３下面に、両側面が両側板１２の互いに対向する側面上端部にそれぞれ当接するように固定具Ｂで固定されている。
下補強材１７は、横方向の幅が支持材１５と同じ矩形の板材で、壁Ｗ１の壁面に、水平方向に延びるように、かつ両側面が両側板１２の互いに対向する側面下端部にそれぞれ当接するように固定具Ｂで固定されている。下補強材１７の長手方向両端部には、側方および前方に開口する嵌合穴１７ａが形成されており、この嵌合穴１７ａに結合部材５０がはめ込まれている。そして、下補強材１７は、一対の側板の１２の下端部にそれぞれ設けられたピンＰを各結合部材５０のピン穴５２ａに通し、結合部材５０の状態を引き込み状態とすることにより、両側板１２とそれぞれ結合されている。
【００２８】
下横板１８は、上横板１３と同様に形成されており、一対の側板の１２の下端部間に水平に延びるように、かつ下補強材１７の上面に当接するように設けられている。そして、下横板１８は、横板１３，１４と同様に結合部材５０で両側板１２とそれぞれ結合されている。
【００２９】
棚板１９は、平面視の形状が横板１３，１４，１８と略等しくなるよう形成されており、両側板１２のダボ穴１２ａに差し込まれた棚ダボの上に載置されることにより、横板１３，１４，１８から離間するとともに互いに間隔を空けて鉛直方向に複数並ぶように配置されている。なお、棚板１９は、棚ダボの差し込み個数や差し込み位置を変更することで、棚板設置枚数や設置間隔を変更することが可能となっている。
【００３０】
増設部２０は、図１，６に示すように、増設本体２１と、補強材２５〜２７と、下横板２８と、複数の棚板２９と、で構成されている。
増設本体２１は、図６に示したように、側板２２と、横板２３，２４と、で構成されている。
【００３１】
側板２２は、本発明の第一板材に相当する部材である。側板２２は、矩形の板材で、壁Ｗ１の壁面に、当該壁面と直交するように、かつ基本部１０の他方の側板１２と所定間隔を空けて鉛直方向に延びるように設けられている。側板２２の基本部１０と対向する側面には、複数の棚板用のダボ穴が鉛直方向に並ぶように形成されている。側板２２の基本部１０と対向する側面の上端部、中間部、下端部には、ピンＰが側板２２の側面と直交する方向に突出するように取り付けられている。また、側板２２における基本部１０側を向く側面の壁Ｗ１寄りの上端部および中間部には、図５に示すように、ダボ穴１２ｂ（被嵌合部）が形成されている。
【００３２】
上横板２３は、本発明の第三板材に相当する部材である。上横板２３は、基本部１０の上横板１３と同様に形成されており、図６に示したように、側板２２の上端部と基本部１０の他方の側板１２の上端部との間に水平に延設されている。そして、上横板２３は、基本部１０の横板１３，１４，１８と同様に結合部材５０で側板２２および基本部１０の他方の側板１２とそれぞれ結合されている。
中横板２４は、本発明の第二板材に相当する部材である。中横板２４は、上横板２３と同様に形成されており、側板２２の中間部と基本部１０の他方の側板１２の中間部との間に水平に延設されている。そして、中横板２４は、上横板２３と同様に結合部材５０で側板２２および基本部１０の他方の側板１２とそれぞれ結合されている。
【００３３】
上補強材２５は、横方向の幅が横板２３，２４と等しい矩形の板材で、壁Ｗ１の壁面に、水平方向に延びるように、かつ上面が上横板２３の下面に、一方の側面が側板２２の側面上端部に、他方の側面が基本部１０の他方の側板１２の側面上端部にそれぞれ当接するように固定具Ｂで固定されている。上補強材２５の長手方向を向く両側面には、図５に示したように、ダボ２５ａが取り付けられている。そして、上補強材２５は、側板２２の上端部および基本部１０の他方の側板１２の上端部に設けられたダボ穴１２ｂ，２２ｂにダボ２５ａを嵌合させることにより、側板２２および基本部１０の他方の側板１２とそれぞれ結合されている。
中補強材２６は、上補強材２５と同様に形成されている。そして、中補強材２６は、壁Ｗ１の壁面に、水平方向に延びるように、かつ上面が中横板２４の下面に、一方の側面が側板２２の側面中間部に、他方の側面が基本部１０の側板１２の中間部にそれぞれ当接するように固定具Ｂで固定されている。そして、中補強材２６は、上補強材２５と同様にダボ２６ａ（嵌合部）で側板２２および基本部１０の他方の側板１２とそれぞれ結合されている。
下補強材２７は、基本部１０の下補強材１７と同様に形成され、壁Ｗ１の壁面に、水平方向に延びるように、かつ一方の側面が側板２２の側面下端部に、他方の側面が基本部１０の側板１２の下端部にそれぞれ当接するように固定具Ｂで固定されている。そして、下補強材１７は、基本部１０の下補強材１７と同様に結合部材５０で側板２２および基本部１０の他方の側板１２とそれぞれ結合されている。
【００３４】
下横板２８は、横板２３，２４と同様に形成されており、側板２２の下端部と基本部１０の他方の側板１２の下端部との間に水平に延びるように、かつ下面が下補強材２７の上面に当接するように設けられている。そして、下横板２８は、横板２３，２４と同様に結合部材５０で側板２２および基本部の側板１２と結合されている。
【００３５】
棚板２９は、基本部１０の棚板１９と略同形状に形成されており、側板２２のダボ穴および基本部１０の他方の側板１２のダボ穴１２ａに差し込まれた棚ダボの上に載置されることにより、横板２３，２４，２８から離間するとともに互いに間隔を空けて鉛直方向に複数配置されている。なお、棚板２９も、基本部１０の棚板１９と同様、棚ダボの差し込み個数や差し込み位置を変更することで、棚板設置枚数や設置間隔を変更することが可能となっている。
【００３６】
各扉３０は、基本部１０および増設部２０の前面を覆うことのできる幅および高さを有する矩形に形成されている。一対の扉３０のうち一方の扉３０は、基本部１０の一方の側板１２の前端部に、一方の側板１２寄りの長辺を回転軸として回動可能となるように取り付けられている。また、他方の扉３０は、増設部２０の側板２２の前端部に、当該側板２２寄りの長辺を回転軸として回動可能となるように取り付けられている。
【００３７】
仕上げ材４０は、幅および高さが、幅が基本部１０の幅と増設部２０の幅を併せた長さと略等しく、高さが基本部１０の高さと略等しいシート状の部材で、壁Ｗ１の壁面における基本部１０および増設部２０が取り付けられる部分に、基本部１０および増設部２０の背面全体を覆うように貼り付けられている。仕上げ材４０の色や柄は、壁Ｗ１の壁面とは異なるもの（例えば、基本本体１１や増設本体２１と同じ色や柄）となっており、図１に示したように、基本本体１１および増設本体２１の開口部１１ａ，２１ａから一部が見えるようになっている。
【００３８】
〔壁付家具の設置方法〕
次に、上述した壁付家具１を壁Ｗ１に設置する方法について、設置する壁Ｗ１の両側に袖壁Ｗ２，Ｗ３を有する比較的狭い空間内に設置する場合を例にして説明する。
【００３９】
初めに、工場等で各種部材を製作する。各種部材を製作するにあたっては、壁付家具１の横幅が、両袖壁Ｗ２，Ｗ３の距離から、増設部２０の側板２２の厚さおよび当該側板２２と支持材２５，２６の結合に用いるダボ２５ａ，２６ａの、支持材２５，２６側面からの突出長を差し引いた長さよりも短くなるようにする。
【００４０】
次に、基本本体１１を組み立てる。まず、２枚の側板１２における互いに対向することになる面の上端部および中間部にピンＰを取り付ける。そして、上横板１３の嵌合穴１３ａおよび中横板１４の嵌合穴に図４（ａ）に示した非引き込み状態の結合部材５０をはめ込む。そして、各横板１３，１４にはめ込まれた結合部材５０のピン穴５２ａに、側板１２のピンＰを通し、ドライバー等でカム５２を回転させて、結合部材５０を図４（ｂ）に示した引き込み状態とすることにより、側板１２と横板１３，１４とを結合させる。引き込み状態とした結合部材５０には、図３に示したようにキャップＣを被せる。なお、基本本体１１の組み立ては、現場で行ってもよい。
【００４１】
施工現場においては、まず、壁Ｗ１の壁面に仕上げ材４０を貼り付ける。そして、図２（ａ）に示したように、壁Ｗ１の壁面における基本部１０の中央部がくる位置に、支持材１５を、ダボ穴が形成された面が鉛直上方を向くように当て、ビス等の固定具Ｂを用いて壁Ｗ１内部の芯材（柱等）に固定する。固定個所に芯材が無い場合には、壁にアンカーＡを埋め込んでから固定する。固定後の固定具ＢにはキャップＣ（図２（ｂ）参照）を被せる。そして、ダボ穴にダボ１５ａを差し込む。
【００４２】
次に、基本本体１１の中横板１４のダボ穴１４ｂを、支持材１５に取り付けられたダボ１５ａに嵌合させる。すると、壁Ｗ１に固定された支持材１５に基本本体１１が固定された状態となる。基本本体１１は一対の側板１２、上横板１３および中横板１４からなる簡素な構造をしているので、取り付け前の段階では固定後に比べて強度が低いものの、軽く容易に持ち上げることができる。ダボ１５ａがダボ穴１４ｂに嵌合すると、中横板１４下面が支持材１５の上面に当接するとともに、両側板１２の互いに対向する側面の中間部が支持材１５の両側面に当接する。これにより、基本本体１１が補強され、各板１２〜１４のぐらつきが規制されるようになる。すなわち、支持材１５が基本本体１１の構造材のように機能する。
【００４３】
次に、図２（ｂ）に示すように、上横板１３の下の壁面に、上補強材１６を、上面が上横板１３下面に当接するとともに、両側面が両側板１２の互いに対向する側面の上端部に当接するように当て、支持材１５と同様に、固定具Ｂで壁Ｗ１の芯材に固定する。
次に、一対の側板１２における互いに対向する側面の下端部にピンＰを取り付け、下補強材１７の嵌合穴１７ａに非引き込み状態の結合部材５０をはめ込む。そして、一対の側板１２の下端部間に下補強材１７を、ピンＰが結合部材５０のピン穴５２ａを通るように配置し、結合部材５０を引き込み状態にすることにより、下補強材１７を両側板１２の下端部に固定する。
【００４４】
次に、一対の側板１２における互いに対向する側面であって下補強材１７の上にピンＰを取り付け、下横板１８の嵌合穴に非引き込み状態の結合部材５０をはめ込む。そして、一対の側板１２の下端部間に下横板１８を、ピンＰが結合部材５０のピン穴５２ａを通るように配置し、結合部材５０を引き込み状態にすることにより、下横板１８を両側板１２の下端部に固定する。
【００４５】
次に、図５に示したように、補強材２５，２６の両端面に形成されたダボ穴にダボ２５ａ，２６ａをはめ込み、基本本体１１の他方の側板１２における横板１３，１４，１８の設けられていない方の側面に形成されたダボ穴１２ｂにダボ２５ａ，２６ａを嵌合させる。そして、補強材２５，２６を、固定具Ｂを用いて壁Ｗ１の芯材に固定する。
次に、側板２２のダボ穴２２ｂを補強材２５，２６のもう一方のダボ２５ａ，２６ａに嵌合させる。上述したように、壁付家具１の横幅を、予め、両袖壁Ｗ２，Ｗ３の距離から、増設部２０の側板２２の厚さおよびダボ２５ａ，２６ａの突出長を差し引いた長さ未満としてあるので、ダボ２５ａ，２６ａの先端と袖壁Ｗ３との間には、側板２２の厚さ以上の空きができ、袖壁Ｗ３が存在していても側板２２の挿入が可能となる。ダボ穴２２ｂにダボ２５ａ，２６ａを嵌合させると、補強材２５，２６の側面が側板２２の側面に当接する。
【００４６】
次に、基本部１０の他方の側板１２と増設部２０の側板２２の互いに対向する側面の上端部、中間部、下端部にピンＰを取り付ける。そして、横板２３，２４の嵌合穴に非引き込み状態の結合部材５０をはめ込む。そして、補強材２５，２６の上面に横板２３，２４を、ピンＰが結合部材５０のピン穴５２ａを通るように配置し、結合部材５０を引き込み状態にすることにより、横板２３，２４を基本部１０の他方の側板１２と増設部２０の側板２２とに固定する。
【００４７】
次に、基本部１０の他方の側板１２および増設部２０の側板２２における互いに対向する側面の下端部にピンＰを取り付け、図６に示したように、下補強材２７の嵌合穴２７ａに非引き込み状態の結合部材５０をはめ込む。そして、側板１２，２２の下端部間に下補強材１７を、ピンＰが結合部材５０のピン穴５２ａを通るように配置し、結合部材５０を引き込み状態にすることにより、下補強材２７を基本部１０の他方の側板１２と増設部２０の側板２２とに固定する。
【００４８】
次に、基本部１０の他方の側板１２および増設部２０の側板２２における互いに対向する側面であって下補強材２７の上にピンＰを取り付け、下横板２８の嵌合穴に非引き込み状態の結合部材５０をはめ込む。そして、側板１２，２２の下端部間に下横板２８を、ピンＰが結合部材５０のピン穴５２ａを通るように配置し、結合部材５０を引き込み状態にすることにより、下横板２８を基本部１０の他方の側板１２と増設部２０の側板２２とに固定する。
【００４９】
次に、基本部１０の一方の側板１２の前端部および増設部２０の側板２２の前端部に、ヒンジを介して扉３０を取り付ける。最後に、側板１２，２２に形成されたダボ穴１２ａに棚ダボを取り付け、棚ダボの上に棚板１９，２９を載置する。こうして、壁Ｗ１に壁付家具１が設置される。
【００５０】
以上のように、本実施形態では、図１〜７に示したように、壁Ｗ１に家具を床Ｆから離間するように設置する壁付家具１の設置方法において、矩形板状に形成された支持材１５を、上面が水平となるように壁Ｗ１に固定し、支持材１５の横幅と略等しい間隔を空けて対向する一対の側板１２と、当該一対の側板１２の間に設けられた中横板１４（第一横板）と、一対の側板１２の間であって、中横板１４の上方に設けられた上横板１３（第二横板）と、によって、前後に開口する矩形枠状に組み立てられた基本本体１１の中横板１４の下面を、支持材１５の上面に当接させ、中横板１４を支持材１５に固定するようにした。
基本本体１１は、一対の側板１２と、中横板１４と、上横板１３と、によって、前後に開口する単純な構造であるため、こうすることで、基本本体１１を、軽くて安価な壁付家具１として用いることができる。
そして、このような基本本体１１における中横板１４を支持材１５に当接・固定すれば、基本本体１１自体を支持体１５に載置・固定した状態とすることができる。すなわち、基本本体１１を、壁Ｗ１に設置された壁付家具１として用いることができる。
また、基本本体１１を壁Ｗ１に設置した時に、一対の側板１２間に配置されるとともに第一横板が固定された支持材１５が基本本体１１の構造材の一部のように機能するので、基本本体１１は従来品と遜色のない強度を有するものとなる。
このため、第一横板１１を支持材１５に当接・固定するだけで、基本本体１１の壁Ｗ１への設置を容易かつ低コストで行うことができる。
【００５１】
また、本実施形態の設置方法では、図７に示したように、中横板１４を支持材１５に当接させる前に、前記壁Ｗ１の基本本体１１の開口部１１ａ（開口部分）にシート状の仕上げ材４０を貼り付けておくようにした。
こうすることで、基本本体１１を取り付けた後、仕上げ材４０の色や柄がそのまま収納空間の奥の色や柄となるので、基本本体１１に背板や化粧板を取り付けなくても、収納空間の奥の見た目を自由に変更することができる。
【００５２】
また、本実施形態の設置方法では、図１，５，６に示したように、基本本体１１を支持材１５に固定した後、側板２２（第一板材）と、側板２２から側板２２の厚さ方向に延びる中横板２４（第二板材）と、側板２２から中横板２４と間隔を空けて当該中横板２４と同じ方向に延びる上横板２３（第三板材）と、で構成される増設本体２１を、中横板２４の先端および上横板２３の先端が、側板１２に当接するように取り付けた。
こうすることで、増設本体２１が取り付けられる基本本体１１の側板１２が、増設本体２１の構造材を兼ねることになるので、増設本体２１を基本本体１１と同様に一対の側板と、第一，第二横板で枠状に構成する場合に比べて使用する構造材を少なくしつつ、壁付家具１を拡張することができる。
【００５３】
また、本実施形態の設置方法では、図１，５，６に示したように、側板２２における基本本体１１と対向することになる面にダボ穴２２ｂ（被嵌合部）を形成し、壁Ｗ１における基本本体１１の側方の部分に、上面の横幅が第二板材２４の延設長と等しい矩形板状に形成され、一方の側面に嵌合部２６ａを有する中補強材２６（第二支持材）を、上面が水平となるように、かつ一方の側面が基本本体１１から離れる方向を向くように固定し、ダボ穴２２ｂを、中補強材２６のダボ２６ａに嵌合させるとともに、側板２２を、基本本体１１の側板１２と並行となるように配置し、中補強材２６の上に中横板２４（第二板材）を載置して基本部１０の側板１２と増設部２０の側板２２とに固定し、基本部１０の側板１２と増設部２０の側板２２の間であって、中横板２４の上方に、上横板２３（第三板材）を取り付けるようにした。
こうすることで、中補強材２６の基本本体１１から離れる方向に、ダボ２６ａの、中補強材２６の側面からの突出長と側板２２の厚さとを合わせた幅のスペースさえあれば増設本体２１を施工することができるので、例えば、収納空間の中のように、対向する一対の袖壁Ｗ２，Ｗ３の奥に設置予定の壁Ｗ１があるような場合であっても、奥の壁Ｗ１のほぼ全体にわたって壁付家具１を設置することができる。
【００５４】
また、本実施形態の設置方法では、図６に示したように、側板２２の中横板２４と対向する面に、ピンＰを、当該面と直交する方向に突出するように取り付け、中横板２４の側板２２寄りの端部に、側板２２に向かう方向および下方（当該方向と直交する方向）に開口する嵌合穴を形成し、ピンＰを結合部材５０のピン穴に通し、結合部材５０を引き込み状態とする（嵌合穴において前記ピンを固定する）ことにより、側板２２と中横板２４とを結合するようにした。
こうすることで、側板２２の基本本体１１側から側板２２と中横板２４との結合を行うことができるので、側板２２の近傍に袖壁Ｗ３があり、袖壁Ｗ３側から側板２２に固定具Ｂを打ち込むことが困難な場合であっても容易に増設本体２１を施工することができる。
【００５５】
以上、本発明を実施形態に基づいて具体的に説明してきたが、本発明は上記実施形態に限定されるものではなく、その要旨を逸脱しない範囲で変更可能である。
例えば、本実施形態では、基本部１０と増設部２０とで構成したが、図７に示すように、横幅の広い基本本体１１Ａおよび支持材１５Ａを用いて、増設部２０を取り付けないようにしてもよい。このようにすれば、ダボを用いた増設部２０の設置が不要になるので、両袖壁Ｗ２，Ｗ３の距離と略等しい幅の壁付家具を設置することができる。
【００５６】
また、上記実施形態では、支持材１５を壁Ｗ１における基本部１０の中央部が来る位置に固定し中横板１４を係止させたが、壁Ｗ１における基本部１０の上部が来る位置に固定し上横板１３を係止させるようにしてもよい。
また、上記実施形態では、一枚の側板２２と二枚の横板２３，２４からなる増設部２０を、横板２３，２４の先端を基本部１０の側板１２に当接させることで基本部１０の側方に設けたが、二枚の側板と一枚の横板からなる増設部を用い、側板の下端（上端）を基本部１０の上横板１３（下横板１８）に当接させることで基本部１０の上方（下方）に設けてもよい。
また、上記実施形態では、仕上げ材４０を貼り付けることにより、開口部１１ａ，２１ａから壁面が見えないようにしたが、仕上げ材４０を用いずに収納空間から壁Ｗ１の壁面が見えるようにしてもよい。
また、上記実施形態では、支持材１５の上面や、補強材２５，２６の両側面にダボ１５ａ，２５ａ，２６ａをはめ込んでおき、中横板１４や側板１２，２２のダボ穴１４ｂ，１２ｂに嵌合させたが、中横板１４や側板１２，２２にダボをはめ込んでおくようにしてもよい。
【符号の説明】
【００５７】
１    壁付家具
１０  基本部
１１，１１Ａ      基本本体
１１ａ      開口部
１２  側板
１３  上横板（第二横板）
１３ａ      嵌合穴
１４  中横板（第一横板）
１５  支持材
１６  上補強材
１７  下補強材
１８  下横板
１９  棚板
２０  増設部
２１  増設本体
２２  側板（第一板材）
２２ｂ      ダボ穴（被嵌合部）
２３  上横板（第三板材）
２４  中横板（第二板材）
２５  上補強材
２６  中補強材（第二支持材）
２６ａ      ダボ（嵌合部）
２７  下補強材
２８  下横板
２９  棚板
３０  扉
４０  仕上げ材
５０  結合部材
Ｂ    固定具
Ｐ    ピン
Ｗ１  壁
Ｗ２，Ｗ３  袖壁
【図１】
0006580360.tif 000002
【図２】
0006580360.tif 000003
【図３】
0006580360.tif 000004
【図４】
0006580360.tif 000005
【図５】
0006580360.tif 000006
【図６】
0006580360.tif 000007
【図７】
0006580360.tif 000008